(57)【特許請求の範囲】
【請求項１】
収納部を有するケースと、
前記ケースの収納部内に回動自在に収納され、上面からシャフト支持部を突出し、且つ上面の外周付近にクリック係合部を設けてなる回転体と、
前記回転体の上面中央に設置され、底面に設けた支持部挿入部に前記回転体のシャフト支持部を上下動自在に挿入することで前記回転体と一体に回転し且つこの回転体に対して上下動自在に係合してなるシャフトと、
前記回転体上に設置され、前記回転体のクリック係合部に係合する弾接部を有するクリック弾接体と、
前記ケースの収納部を覆うと共に、この収納部から突出する前記シャフトを回動自在に軸支する軸支部を有するカバーとを有し、
前記シャフトの外周につば部を設けて、このつば部を前記カバー下面に当接させることでシャフトのカバーからの抜け及びシャフトの回転軸方向のがたつきを防止し、
一方、前記回転体の上面には、この回転体の回転中心軸を中心に同一円周上の前記シャフト支持部を囲む位置から、等間隔に３本以上のカバー受部を個別に突設し、
これら各カバー受部をそれぞれ前記シャフトのつば部中に個別に設けた各カバー受部挿入部に挿入して各カバー受部の先端面を前記カバーの下面に当接させることで回転体の回転軸方向のがたつきを防止することを特徴とする回転式電子部品。
【請求項２】
請求項１に記載の回転式電子部品であって、
前記シャフトのカバー受部挿入部は、つば部の外周を凹ませることによって形成されていることを特徴とする回転式電子部品。
【請求項３】
請求項１又は２に記載の回転式電子部品であって、
前記カバー受部挿入部の形状は、前記カバー受部をほぼぴったり挿入する形状であることを特徴とする回転式電子部品。
【請求項４】
請求項１又は２又は３に記載の回転式電子部品であって、
前記ケース内には、前記シャフトの上下動によって動作する押圧式電子部品部と、前記回転体の回転によって動作する回転式電子部品部とが収納されていることを特徴とする回転式電子部品。
【発明の詳細な説明】
【技術分野】
【０００１】
本発明は回転式電子部品に関するものである。
【背景技術】
【０００２】
従来例えば特許文献１に示すように、シャフト（３０）を回転することで回転体（４０）と摺動子（５０）を回転してその出力信号を変化すると共に、シャフト（３０）を真下に向けて押圧することで押圧スイッチ（７０）をオンする構造の押圧式スイッチ付き回転式電子部品がある。この押圧式スイッチ付き回転式電子部品においては、回転体（４０）とシャフト（３０）を別部品で構成し、両者が一体に回転すると共に回転体（４０）に対してシャフト（３０）が上下動自在となるように、両者を係合している。そしてシャフト（３０）と回転体（４０）の両者を、何れも回転軸方向にがたつきなく支持するため、シャフト（３０）についてはその下端外周に設けたつば部（３２）の上面をカバー（１０）の下面に当接し、回転体（４０）についてはその外周上面に設けた上方向に筒状に突出する突出部分をカバー（１０）の下面に当接している。つまりシャフト（３０）のつば部（３２）と回転体（４０）の外周の筒状の突出部分をそれぞれシャフト（３０）と回転体（４０）の回転軸方向の軸受としている。
【先行技術文献】
【特許文献】
【０００３】
【特許文献１】特開２００４−１７８９８９号公報
【特許文献２】特開２０１０−３４０１０号公報
【発明の概要】
【発明が解決しようとする課題】
【０００４】
しかしながら特許文献１の押圧式スイッチ付き回転式電子部品においては、回転体（４０）の外周に筒状の突出部分を設けているので、その分筒状の突出部分の内側に形成しているクリック係合部（４２）の径が小さくなり、これによって隣り合う凹凸間のピッチが小さくなり、クリック係合部（４２）の凹凸が精度よく成形できなくなり（山が潰れる等）、クリック感触が分かりにくくなってしまうという問題があった。
【０００５】
上記問題点を解決するため特許文献２においては、回転体（６０）の上面の最も外側部分にクリック係合部（６７）を設け、その内側に軸受となる筒状の突出部分を設けている。このように構成すれば、クリック係合部（６７）の径を大きくできるので良好なクリック感触が得られる。
【０００６】
しかしながらこの回転式電子部品の場合でも、シャフト（４０）のつば部（４１）の外周を囲むように回転体（６０）の筒状の突出部分が設けられているため、突出部分の厚み分、回転体（６０）の上面の突出部分の外側に形成するクリック係合部（６７）の幅寸法（径方向の長さ寸法）が小さくなり、このためこのクリック係合部（６７）に幅広のクリック弾接体を弾接できないので、弾接時の荷重を上げることができず良好なクリック感触が得られないという問題があった。この問題は回転式電子部品の小型化のために回転体（６０）の外径寸法を小さくした場合に特に大きくなる。
【０００７】
本発明は上述の点に鑑みてなされたものでありその目的は、回転体とシャフトを別部品で構成し、両者が一体に回転すると共に回転体に対してシャフトを上下動自在に係合する構成を有する回転式電子部品において、シャフトと回転体の両者の回転軸方向の軸受をコンパクトに設置することができ、これによって回転体のクリック係合部を形成するスペースを広く大径にできてクリック感触を向上することができる回転式電子部品を提供することにある。
【課題を解決するための手段】
【０００８】
本発明にかかる回転式電子部品は、収納部を有するケースと、前記ケースの収納部内に回動自在に収納され、上面からシャフト支持部を突出し、且つ上面の外周付近にクリック係合部を設けてなる回転体と、前記回転体の上面中央に設置され、底面に設けた支持部挿入部に前記回転体のシャフト支持部を上下動自在に挿入することで前記回転体と一体に回転し且つこの回転体に対して上下動自在に係合してなるシャフトと、前記回転体上に設置され、前記回転体のクリック係合部に係合する弾接部を有するクリック弾接体と、前記ケースの収納部を覆うと共にこの収納部から突出する前記シャフトを回動自在に軸支する軸支部を有するカバーとを有し、前記シャフトの外周につば部を設けて、このつば部を前記カバー下面に当接させることでシャフトのカバーからの抜け及びシャフトの回転軸方向のがたつきを防止し、一方、前記回転体の上面には、この回転体の回転中心軸を中心に同一円周上の前記シャフト支持部を囲む位置から、等間隔に３本以上のカバー受部を個別に突設し、これら各カバー受部をそれぞれ前記シャフトのつば部中に個別に設けた各カバー受部挿入部に挿入して各カバー受部の先端面を前記カバーの下面に当接させることで回転体の回転軸方向のがたつきを防止するように構成している。
このようにシャフトの回転軸方向の軸受となるつば部の中に、回転体の回転軸方向の軸受となるカバー受部を設置したので、両軸受を同一円周上にコンパクトに設置することができる。これによって回転体のクリック係合部を回転体の外周まで利用して形成することでクリック感触を向上させることができる。同時に、クリック係合部の径方向の幅を広くできるので、幅広のクリック弾接体を弾接でき、荷重の大きい良好なクリック感触を得ることができる。
【０００９】
また前記シャフトのカバー受部挿入部は、つば部の外周を凹ませることによって形成することが好ましい。これによって容易にシャフトのつば部の中に回転体のカバー受部を設置することができる。
また前記カバー受部挿入部の形状は、前記カバー受部をほぼぴったり挿入する形状であることが好ましい。
【００１０】
また本発明は、前記ケース内に、前記シャフトの上下動によって動作する押圧式電子部品部と、前記回転体の回転によって動作する回転式電子部品部とを収納していることが好ましい。これによってシャフトの上下動によって押圧式スイッチ等の押圧式電子部品部が動作し、回転体の回転によって回転式スイッチ等の回転式電子部品部が動作する。
【発明の効果】
【００１１】
本発明によれば、シャフトと回転体の両者の回転軸方向の軸受をコンパクトに設置することができる。これによって回転体のクリック係合部を形成するスペースを広く大径にできてクリック感触を向上することができる。
【図面の簡単な説明】
【００１２】
【図１】回転式電子部品１の斜視図である。
【図２】回転式電子部品１の断面図（図１のＡ−Ａ断面図）である。
【図３】回転式電子部品１の分解斜視図である。
【図４】回転式電子部品１を下側から見た分解斜視図である。
【図５】クリック弾接体７０を下側から見た分解斜視図である。
【図６】回転式電子部品１の組立方法説明図である。
【図７】クリック弾接体７０−２の斜視図である。
【図８】クリック弾接体７０−３の斜視図である。
【図９】図９（ａ）〜（ｃ）は他の実施形態にかかる回転体５０とシャフト１２０を示す平面図である。
【図１０】図１０（ａ）〜（ｄ）は他の実施形態にかかる回転体５０とシャフト１２０を示す平面図である。
【発明を実施するための形態】
【００１３】
以下、本発明の実施形態を図面を参照して詳細に説明する。図１は本発明にかかる回転式電子部品１の斜視図、図２は回転式電子部品１の断面図（図１のＡ−Ａ断面図）、図３は回転式電子部品１の分解斜視図、図４は回転式電子部品１を下側から見た分解斜視図（但し反転板４５の記載を省略）である。これらの図に示すように回転式電子部品１は押圧式スイッチ付きの回転式電子部品であり、収納部１３を有するケース１０と、ケース１０の収納部１３内に設置される反転板４５と、ケース１０の収納部１３内に回転自在に収納される回転体５０と、回転体５０の下面に取り付けられる摺動子６５と、回転体５０に連結されるシャフト１２０と、回転体５０上に設置されるクリック弾接体７０と、クリック弾接体７０上に設置されてケース１０の収納部１３を覆うカバー１００とを具備して構成されている。なお以下の説明において、「上」とはケース１０からカバー１００側を見る方向をいい、「下」とはその反対方向をいうものとする。
【００１４】
ケース１０は中央に回転体５０を収納する凹部からなる収納部１３を有するケース本体１１と、前記収納部１３の内底面にインサート成型によって配置される回路基板（以下「フレキシブル回路基板」という）３０と、ケース本体１１の対向する２つの外周側面からそれぞれ突出する２本と３本の金属板製の端子４０とを具備して構成されている。ケース本体１１は合成樹脂を箱型で上面が解放された形状に成形して構成されており、略矩形状の底面１５と、４つの外周側壁１７，１９，２１，２３とを具備している。外周側壁２１の上面の両端部（角部）には一対の小突起状の係止部２９が設けられている。
【００１５】
フレキシブル回路基板３０は可撓性を有する合成樹脂フイルム（この実施形態ではポリエチレンテレフタレートフイルム）を略矩形状であって前記ケース本体１１の底面１５の内部に内蔵される寸法に形成して構成されている。フレキシブル回路基板３０の上面中央には押圧スイッチ用スイッチパターン３１が形成され、またその周囲を囲むように回転スイッチ用スイッチパターン３３が形成されている。これら両スイッチパターン３１，３３の間を仕切る位置には、フレキシブル回路基板３０の上面上に突出するリング形状の突起部２５が形成されており、この突起部２５の内側の凹部が反転板収納部２７を構成している。突起部２５はフレキシブル回路基板３０に形成した図示しない小孔を介して底面１５と連結されている。
【００１６】
端子４０はフレキシブル回路基板３０の上面の外周辺近傍部分に設けた図示しない端子接続パターン上にその一端を当接し、その上下をケース本体１１によって挟持することで固定されている。一方の外周側壁２１から突出する２本の端子４０は前記押圧スイッチ用スイッチパターン３１に電気的に接続されており、他方の外周側壁１７から突出する３本の端子４０は前記回転スイッチ用スイッチパターン３３に電気的に接続されている。反転板４５は弾性金属板を上方向に凸となるドーム形状に形成して構成されている。
【００１７】
回転体５０は合成樹脂を略円板状に成形して構成されており、その中央には上下に貫通する孔からなる挿通部５１が設けられている。回転体５０の上面の前記挿通部５１の両側位置には一対の円柱状の突起からなるシャフト支持部５３が設けられている。また回転体５０の上面の前記一対のシャフト支持部５３を囲む位置には、等間隔に複数本（４本）の上方向に突出するカバー受部５５が設けられている。各カバー受部５５は回転体５０の回転軸（挿通部５１の中心を上下に通る）Ｌを中心に同一円周上に形成されており、それぞれ略平板矩形状であって、その先端面５６を当接部としている。各カバー受部５５の高さ寸法は、下記するシャフト１２０のつば部１２１の厚み寸法よりも長く（少なくとも上記反転板４５を押圧する押圧ストローク分以上長く）形成されている。また回転体５０の上面の前記各カバー受部５５の周囲を囲む外周位置には、リング状の凹凸からなるクリック係合部６１が形成されている。一方回転体５０の下面の前記挿通部５１を囲む位置には、リング状の凹部からなり、前記ケース１０の突起部２５の上部を回動自在に収納する突起部収納溝６３が形成されている。また突起部収納溝６３の外側はリング形状の摺動子取付面５７となっており、３つの小突起からなる摺動子取付部５９が設けられている。
【００１８】
摺動子６５は弾性金属板をリング形状に形成し、その３か所に摺接部６７を設け、また各摺接部６７の根元部分に小孔からなる取付部６９を設けて構成されている。
【００１９】
図５はクリック弾接体７０を下側から見た分解斜視図である。同図に示すようにクリック弾接体７０は、弾性金属板を略帯状で略直線状に形成してなるクリック弾接体本体７１と金属製の転がり弾接体８３とを具備して構成されている。クリック弾接体本体７１の両端近傍には、前記ケース１０に設けた係止部２９を挿通する貫通孔からなる被係止部７３が設けられ、またクリック弾接体本体７１の中央には、前記転がり弾接体８３を回転自在に保持する弾接体保持部７５が設けられている。弾接体保持部７５は中央に開口７７を有し、その両側部から突出する側壁部７９を下方向に略直角に折り曲げ、両側壁部７９の下端辺を略円弧状に凹ませることで軸受部８１を形成して構成されている。転がり弾接体８３は円板状の弾接部８５の両側面中央から軸部８７を突出して構成されている。そして転がり弾接体８３を両側壁部７９の間に挿入し、転がり弾接体８３の両軸部８７を両軸受部８１に挿入して回動自在に支持することで、クリック弾接体７０が構成される。
【００２０】
カバー１００は金属板製であり、前記ケース１０の収納部１３を覆う略矩形形状のカバー本体部１０１と、カバー本体部１０１の対向する一対の辺からそれぞれ下方に折り曲げてなる２本ずつのケース係止部１０３及び１本ずつの取付部１０５とを有して構成されている。カバー本体部１０１の中央には上方向に突出する筒状の軸支部１０７が設けられ、カバー本体部１０１の２つの角部近傍には前記ケース１０の各係止部２９を挿入する小孔からなる係止部１０９が設けられている。またカバー本体部１０１の一対の係止部１０９の間の位置には、長方形状のクリック弾接体挿通孔１１１が形成されている。このクリック弾接体挿通孔１１１は、クリック弾接体７０の上下方向の動作ストロークによって、このクリック弾接体７０とカバー本体部１０１とが干渉しないようにするために設けてある。
【００２１】
シャフト１２０は合成樹脂を略円柱状であって前記カバー１００の軸支部１０７内に回動自在に挿入される寸法に成形して構成されており、シャフト１２０の下部の外周からは略リング形状のつば部１２１が突出している。つば部１２１はその底面をシャフト１２０の底面１２３と同一面としている。つば部１２１中には前記回転体５０に設けた各カバー受部５５をほぼぴったり挿入するカバー受部挿入部１２５を複数箇所（４か所）に形成している。各カバー受部挿入部１２５は、つば部１２１の外周を略矩形状に凹ませる形状に形成されている。シャフト１２０の底面１２３の中央からは小径で円柱状のスイッチ押圧部１２７が突出している。また底面１２３のスイッチ押圧部１２７の両側であって、前記回転体５０の各シャフト支持部５３に対向する位置には、各シャフト支持部５３を上下動自在に略ぴったり挿入する円形の凹部からなる支持部挿入部１２９が形成されている。
【００２２】
回転式電子部品１を組み立てるには、予め回転体５０の摺動子取付面５７に摺動子６５を設置し、その際回転体５０の摺動子取付部５９を摺動子６５の取付部６９に挿入し、各摺動子取付部５９の先端を熱かしめし、これによって摺動子６５を回転体５０に固定しておく。
【００２３】
そしてケース１０の反転板収納部２７内に反転板４５を収納する。この反転板４５とフレキシブル回路基板３０の押圧スイッチ用スイッチパターン３１とによって押圧式スイッチ（押圧式電子部品部）が構成される。
【００２４】
次にケース１０の収納部１３内に前記摺動子６５を取り付けた回転体５０を挿入する。このとき摺動子６５の各摺接部６７が回転スイッチ用スイッチパターン３３上に当接する。この摺動子６５と回転スイッチ用スイッチパターン３３とによって回転式スイッチ（回転式電子部品部）が構成される。
【００２５】
次に前記回転体５０の上にシャフト１２０を載置し、その際回転体５０の各シャフト支持部５３をシャフト１２０の支持部挿入部１２９に挿入し、且つ回転体５０の各カバー受部５５をシャフト１２０の各カバー受部挿入部１２５に挿入する。同時にシャフト１２０のスイッチ押圧部１２７を回転体５０の挿通部５１に挿通する。
【００２６】
次に図６（図６は回転式電子部品１の組立方法説明図であり、組み立てた回転式電子部品１からカバー１００を外した状態を示している。）に示すように、前記ケース１０及び回転体５０の上にクリック弾接体７０を載置し、その際クリック弾接体７０の両被取付部７３にケース１０の両係止部２９を挿入して位置決めする。
【００２７】
次に前記ケース１０の上にカバー１００を被せ、その際カバー１００の軸支部１０７内にシャフト１２０を挿入し、同時にカバー１００の係止部１０９にケース１０の係止部２９を挿入する。そしてカバー１００のケース係止部１０３をケース１０の底面側に折り曲げて一体化する。これによって回転式電子部品１が完成する。なお上記組立手順はその一例であり、他の各種異なる組立手順を用いて組み立てても良いことはいうまでもない。
【００２８】
以上のようにして組み立てられた回転式電子部品１は、図２に示すように、シャフト１２０が反転板４５によって押し上げられ、つば部１２１の上面がカバー１００の下面に当接し、これによってシャフト１２０のカバー１００からの抜けが防止され、同時にシャフト１２０の回転軸Ｌ方向のがたつきが防止される。一方、回転体５０は摺動子６５の弾発力によって押し上げられ、各カバー受部５５の先端面５６がカバー１００の下面に当接し、これによって回転体５０の回転軸Ｌ方向のがたつきが防止される。さらにこの回転式電子部品１の場合、カバー受部５５は何れも回転体５０の回転中心から見て等距離且つ等角度、即ち回転体５０の中心を中心とする正三角形等の正多角形の各頂点に位置するように設けているので、回転軸Ｌ方向の力を均等に受けることができ、そのがたつきを効果的に防止することができる。なおシャフト１２０と回転体５０は、前述のように、シャフト１２０の支持部挿入部１２９に回転体５０のシャフト支持部５３を上下動自在に係合することで一体に回転し且つシャフト１２０は回転体５０に対して上下動自在に移動する。
【００２９】
次に回転式電子部品１の動作を説明する。まずシャフト１２０を回転すると、これと一体に回転体５０及び摺動子６５が回転し、摺動子６５の摺接部６７が回転スイッチ用スイッチパターン３３上を摺動し、その出力が変化する。出力は同一方向に突出した３本の端子４０から取り出される。このとき同時にクリック弾接体７０の弾接部８５が回転する回転体５０のクリック係合部６１に弾接することでクリック感触が生じる。一方シャフト１２０を真下方向に向けて押圧すると、回転体５０は元の位置のまま、シャフト１２０のみが下降してそのスイッチ押圧部１２７が反転板４５を押圧反転し、これによって押圧スイッチ用スイッチパターン３１間が電気的に接続されてオンする。出力は同一方向に突出した２本の端子４０から取り出される。シャフト１２０への押圧を解除すると、反転板４５の弾性復帰力によって反転板４５は元の形状に自動復帰し、これによって押圧式スイッチはオフし、同時にシャフト１２０は押し上げられてつば部１２１がカバー１００の下面に当接し、元の位置に自動復帰する。即ちシャフト１２０の上下動によって押圧式スイッチ等の押圧式電子部品部が動作され、シャフト１２０及び回転体５０の回転によって回転式スイッチ等の回転式電子部品部が動作する。
【００３０】
以上説明したように回転式電子部品１は、収納部１３を有するケース１０と、ケース１０の収納部１３内に回動自在に収納され且つ一方の面（上面）の外周付近にクリック係合部６１を設けてなる回転体５０と、回転体５０の中央に設置され回転体５０と一体に回転し且つ回転体５０に対して上下動自在に係合してなるシャフト１２０と、回転体５０上に設置され回転体５０のクリック係合部６１に係合する弾接部８５を有するクリック弾接体７０と、ケース１０の収納部１３を覆うと共に収納部１３から突出するシャフト１２０を回動自在に軸支する軸支部１０７を有するカバー１００とを有し、シャフト１２０の外周につば部１２１を設けて、このつば部１２１をカバー１００下面に当接させることでシャフト１２０のカバー１００からの抜け及びシャフト１２０の回転軸Ｌ方向のがたつきを防止し、さらに回転体５０にカバー受部５５を設け、このカバー受部５５をシャフト１２０のつば部１２１中に設けたカバー受部挿入部１２５に挿入してカバー受部５５の先端面５６をカバー１００の下面に当接させることで回転体５０の回転軸Ｌ方向のがたつきを防止している。
【００３１】
このようにシャフト１２０の回転軸Ｌ方向の軸受となるつば部１２１の中に、回転体５０の回転軸Ｌ方向の軸受となるカバー受部５５を設置したので、両軸受を同一円周上に設置することができる。これによって回転体５０のクリック係合部６１を回転体５０の外周まで利用して形成することでクリック感触を向上させることができると同時に、クリック係合部６１の径方向の幅を広くできて幅広のクリック弾接体７０を弾接でき、荷重の大きい良好なクリック感触を得ることができる。
【００３２】
またこの回転式電子部品１においては、シャフト１２０のカバー受部挿入部１２５を、つば部１２１の外周を凹ませることによって形成しているので、容易にシャフト１２０のつば部１２１の中に回転体５０のカバー受部５５を設置することができる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では、クリック弾接体７０として、クリック弾接体本体７１に転がり弾接体８３を取り付けたものを用いたが、その代りに、図７に示すクリック弾接体７０−２のように弾性金属板を略帯状で略直線状に形成し、その両端近傍に前記ケース１０の係止部２９を挿通する貫通孔からなる被係止部７３−２を設け、その中央付近に下方向に突出するように屈曲して前記クリック係合部６１に弾接する弾接部８５−２を設けて構成しても良い。このときクリック係合部６１の幅寸法が長いと、クリック弾接体７０−２の幅寸法も長くでき、その荷重を容易に上げることができる。なおこのクリック弾接体７０―２を使用した場合、弾接部８５−２はそれほど上方に持ち上がらないのでカバー本体部１０１と干渉せず、従って前記カバー１００のカバー本体部１０１に設けたクリック弾接体挿通孔１１１は不要となる。また上記実施形態にかかる回転式電子部品１には直接装着できないが、図８に示すクリック弾接体７０−３のように弾性金属板を略帯状でリング状に形成し、約１８０°対向する位置に貫通孔からなる被係止部７３−３を設け、それら被係止部７３−３を結ぶ円弧の中央付近に下方向に突出するように屈曲する弾接部８５−３を設けて構成しても良い。この場合もクリック係合部６１の幅寸法が長いと、クリック弾接体７０−３の幅寸法も長くでき、その弾発力を容易に強くできる。さらに上記例示したクリック弾接体以外の各種形状・構造のクリック弾接体を用いても良い。
【００３４】
また上記実施形態では４つのカバー受部５５と４つのカバー受部挿入部１２５を４か所に設けたが、これらは１か所以上に設ければよい。但しより効果的に回転体５０のがたつきを防止するには、３か所以上設ける方が好ましい。図９（ａ）〜（ｃ）は本発明の他の実施形態にかかる回転体５０とシャフト１２０とを示す平面図であり、それぞれ回転体５０の上面中央にシャフト１２０を載置した状態を示している。図９（ａ）に示すようにカバー受部５５とカバー受部挿入部１２５は３か所に設けても良いし、図９（ｂ）に示すようにカバー受部５５とカバー受部挿入部１２５は５か所に設けても良いし、図９（ｃ）に示すようにカバー受部５５とカバー受部挿入部１２５は６か所に設けても良い。何れの場合もカバー受部５５とカバー受部挿入部１２５は、回転体５０の回転中心から等距離且つ等角度、即ち回転体５０の中心を中心とする正多角形の各頂点に位置するように設けるのが、回転軸Ｌ方向の力を均等に受けることができてそのがたつきを効果的に防止することができるので、好ましい。
【００３５】
また上記実施形態では、カバー受部挿入部１２５はつば部１２１の外周を凹ませることによって形成したが、その代りにつば部１２１に貫通孔を形成するなどして形成しても良い。例えば図１０（ａ）〜（ｄ）に示すように、カバー受部挿入部１２５を貫通孔で構成し、このカバー受部挿入部１２５にカバー受部５５を挿入してもよい。カバー受部５５とカバー受部挿入部１２５は図１０（ａ）に示すように３か所に設けても良いし、図１０（ｂ）に示すように４か所に設けても良いし、図１０（ｃ）に示すように５か所に設けても良いし、図１０（ｄ）に示すように６か所に設けても良い。
【００３６】
また上記実施形態ではシャフト１２０の引っ張り強度を強くするため、カバー受部挿入部１２５をカバー受部５５をほぼぴったり挿入する形状とすることで、つば部１２１の面積をできるだけ大きくするようにしたが、両者は必ずしもぴったり挿入される形状に形成する必要はなく、カバー受部挿入部１２５の形状寸法をカバー受部５５の形状寸法よりも大きく、また異なる形状で形成しても良い。また上述のようにつば部１２１の面積を広くすることでシャフト１２０の引っ張り強度が強くなってシャフト１２０がカバー１００から抜けにくくなるので、シャフト１２０のつば部１２１を真上から見た投影面積はカバー受部５５の投影面積よりも広く形成することが好ましい。またクリック係合部６１は回転体５０の全周ではなく、その一部に設けても良い。なおケース１０、回転体５０、シャフト１２０、カバー１００の形状・構造にもさらなる種々の変形が可能であることは言うまでもない。
【符号の説明】
【００３７】
１  回転式電子部品部
１０  ケース
１１  ケース本体
１３  収納部
３０  フレキシブル回路基板（回路基板）
３１  押圧スイッチ用スイッチパターン（押圧式電子部品部）
３３  回転スイッチ用スイッチパターン（回転式電子部品部）
４５  反転板（押圧式電子部品部）
５０  回転体
５５  カバー受部
５６  先端面
６１  クリック係合部
６５  摺動子（回転式電子部品部）
７０  クリック弾接体
８５  弾接部
１００  カバー
１０７  軸支部
１２０  シャフト
１２１  つば部
１２５  カバー受部挿入部
【図１】
0005735396.tif 000002
【図２】
0005735396.tif 000003
【図３】
0005735396.tif 000004
【図４】
0005735396.tif 000005
【図５】
0005735396.tif 000006
【図６】
0005735396.tif 000007
【図７】
0005735396.tif 000008
【図８】
0005735396.tif 000009
【図９】
0005735396.tif 000010
【図１０】
0005735396.tif 000011